(57)【要約】【課題】  誤操作を防止できる操作入力装置を提供することを目的とする。【解決手段】  表示画面５１Ｃに表示されている操作キー５５に対向するタッチパネルの操作領域５２Ａが操作され、その位置情報がタッチパネルから出力された場合に、その押圧力が所定の閾値未満であれば、当該位置情報に対応する操作キー５５を表示画面５１Ｃ上で報知するのみで、当該操作キー５５を選択しない（図４（ａ））。その後、押圧力が上記閾値以上となれば、当該位置情報に対応する操作キー５５を選択する（図４（ｂ））。ユーザは、操作領域５２Ａ内のいずれかの位置に対する操作を行うことにより、その位置情報に対応する操作キー５５を報知により確認した上で、操作領域５２Ａに対する押圧力を上記閾値以上とすることにより、当該操作キー５５を選択することができるので、誤操作を防止できる。【選択図】  図４
2008276369.tif 000002
【特許請求の範囲】
【請求項１】
表示画面に操作キーを表示する表示手段と、
上記表示画面に対向する操作領域を有し、上記操作領域内のいずれかの位置に対して操作が行われているときに、その位置情報を出力する位置情報出力手段と、
上記操作領域に対する押圧力であって、上記位置情報が出力可能となるときよりも大きい押圧力を検出する圧力検出手段と、
上記押圧力が検出されていない状態で、上記位置情報出力手段から上記位置情報が出力されているときに、当該位置情報に対応する上記操作キーを第１の態様で報知する操作キー報知手段と、
上記位置情報出力手段から上記位置情報が出力されているときに上記押圧力が検出された場合に、当該位置情報に対応する上記操作キーを選択する操作キー選択手段とを備えたことを特徴とする操作入力装置。
【請求項２】
上記操作キー報知手段は、上記操作キー選択手段により選択された上記操作キーを上記第１の態様とは異なる第２の態様で報知することを特徴とする請求項１に記載の操作入力装置。
【請求項３】
上記操作キー報知手段は、上記表示画面における上記操作キーに対する表示によって報知を行うことを特徴とする請求項１又は２に記載の操作入力装置。
【請求項４】
上記表示手段は、互いに対向する第１面及び第２面を有し、上記第１面に上記表示画面が形成された液晶表示器を備え、
上記圧力検出手段は、上記液晶表示器の上記第２面に対向し、上記操作領域に対する押圧力によって変位する変位手段を備え、上記変位手段の変位に基づいて上記押圧力を検出することを特徴とする請求項１に記載の操作入力装置。
【発明の詳細な説明】
【技術分野】
【０００１】
本発明は、操作入力装置に係り、さらに詳しくは、ユーザが表示画面に対向する操作領域に対して操作を行うタッチパネル式の操作入力装置に関する。
【背景技術】
【０００２】
一般的なタッチパネル式の操作入力装置には、表示画面に所定の表示を行う液晶表示器と、上記表示画面に対向するように配置されたタッチパネルとが備えられている。タッチパネルは、薄くて透明なシート状の部材であり、その表面に形成された操作領域内のいずれかの位置にユーザが指を触れて操作が行われた場合に、その位置情報が出力されるようになっている。
【０００３】
このような操作入力装置では、液晶表示器の表示画面に表示した操作キーに対向するタッチパネル上の操作領域が操作されて、その位置情報がタッチパネルから出力されたときに、当該操作キーが選択され、当該操作キーに対応する処理が行われる（例えば、特許文献１）。
【特許文献１】特開２００１−１９５１８８号公報
【発明の開示】
【発明が解決しようとする課題】
【０００４】
しかしながら、従来のタッチパネル式の操作入力装置では、表示画面に表示される操作キーの領域と、当該操作キーに対応するタッチパネル上の操作領域とにずれが生じている場合に、所望の操作キーを良好に選択することができない場合がある。
【０００５】
すなわち、ユーザが、タッチパネル上の操作領域における所望の操作キーに対向する位置に対して操作を行っているにもかかわらず、ユーザ操作に対して当該操作キーに対応する位置情報が出力されるタッチパネル上の操作領域がずれているために、当該操作キーに対応する位置情報がタッチパネルから出力されず、その操作キーを選択することができない場合がある。このような場合には、所望の操作キーに隣接する他の操作キーが選択されて誤操作が生じるおそれがある。
【０００６】
本発明は、上記の事情に鑑みてなされたものであり、誤操作を防止できる操作入力装置を提供することを目的とする。
【課題を解決するための手段】
【０００７】
第１の本発明による操作入力装置は、表示画面に操作キーを表示する表示手段と、上記表示画面に対向する操作領域を有し、上記操作領域内のいずれかの位置に対して操作が行われているときに、その位置情報を出力する位置情報出力手段と、上記操作領域に対する押圧力であって、上記位置情報が出力可能となるときよりも大きい押圧力を検出する圧力検出手段と、上記押圧力が検出されていない状態で、上記位置情報出力手段から上記位置情報が出力されているときに、当該位置情報に対応する上記操作キーを第１の態様で報知する操作キー報知手段と、上記位置情報出力手段から上記位置情報が出力されているときに上記押圧力が検出された場合に、当該位置情報に対応する上記操作キーを選択する操作キー選択手段とを備えて構成される。
【０００８】
このような構成によれば、上記押圧力が検出されない状態で操作領域内のいずれかの位置に対する操作が行われているときには、その位置情報に対応する操作キーは選択されず、当該操作キーが報知されるのみであるのに対し、上記押圧力以上で操作されたときには、その位置情報に対応する操作キーが選択される。
【０００９】
したがって、ユーザは、上記押圧力が検出されない状態で操作領域内のいずれかの位置に対する操作を行うことにより、その位置情報に対応する操作キーを報知により確認した上で、操作領域に対する操作を上記押圧力以上で行うことにより、当該操作キーを選択することができる。すなわち、上記押圧力が検出されない状態で操作領域を操作したときに報知された操作キーが所望の操作キーでない場合には、操作領域に対する操作を上記押圧力以上で行わなければ当該操作キーは選択されないので、誤操作を防止できる。
【００１０】
第２の本発明による操作入力装置は、上記構成に加えて、上記操作キー報知手段が、上記操作キー選択手段により選択された上記操作キーを上記第１の態様とは異なる第２の態様で報知するように構成される。
【００１１】
このような構成によれば、上記押圧力が検出されない状態で操作領域内のいずれかの位置に対する操作が行われているときには、その位置情報に対応する操作キーを第１の態様で報知し、上記押圧力以上で操作されたときには、その位置情報に対応する操作キーが選択された旨を第１の態様とは異なる第２の態様で分かりやすく報知することができる。
【００１２】
第３の本発明による操作入力装置は、上記構成に加えて、上記操作キー報知手段が、上記表示画面における上記操作キーに対する表示によって報知を行うように構成される。
【００１３】
このような構成によれば、ユーザが操作している操作領域内の位置に対応する操作キーを当該操作キーに対する表示によって分かりやすく報知することができるので、誤操作を効果的に防止できる。
【００１４】
第４の本発明による操作入力装置は、上記構成に加えて、上記表示手段が、互いに対向する第１面及び第２面を有し、上記第１面に上記表示画面が形成された液晶表示器を備え、上記圧力検出手段が、上記液晶表示器の上記第２面に対向し、上記操作領域に対する押圧力によって変位する変位手段を備え、上記変位手段の変位に基づいて上記押圧力を検出するように構成される。
【００１５】
このような構成によれば、液晶表示器の第１面に形成された表示画面に対向する操作領域が操作されたときに、その押圧力によって圧力検出手段側へ移動する液晶表示器の第２面で変位手段を変位させることができる。このように、比較的可撓性の低い液晶表示器の第２面で変位手段を変位させて押圧力を検出するような構成とすることにより、操作領域内の各位置の操作に対して液晶表示器の第２面におけるより広い範囲を圧力検出手段側へ移動させることができる。これにより、より少ない数の変位手段で操作領域全体に対する押圧力を検出することができるので、製造コストを低減することができる。
【発明の効果】
【００１６】
本発明によれば、ユーザは、上記押圧力が検出されない状態で操作領域内のいずれかの位置に対する操作を行うことにより、その位置情報に対応する操作キーを報知により確認した上で、操作領域に対する操作を上記押圧力以上で行うことにより、当該操作キーを選択することができるので、誤操作を防止できる。
【発明を実施するための最良の形態】
【００１７】
図１は、本発明の実施の形態による操作入力装置の構成例を示したブロック図であり、操作入力装置の一例としてデジタル複合機１を示している。このデジタル複合機１は、スキャナ２で読み取った原稿の画像データに基づいてプリンタ機構３で用紙に画像を印刷するコピー機能や、スキャナ２で読み取った原稿の画像データを通信部４からファクシミリ送信するファクシミリ機能などを備えている。
【００１８】
このデジタル複合機１には、上記のスキャナ２、プリンタ機構３及び通信部４に加えて、操作表示部５及びメモリ６が備えられ、これらの動作が、プロセッサからなる制御部７により制御されるようになっている。メモリ６は、ＲＡＭ(Random Access Memory)やＲＯＭ(Read-Only Memory)により構成されている。
【００１９】
スキャナ２は、原稿に向けて光を照射し、原稿からの反射光を受光することにより、その受光量に応じた信号を制御部７へ出力する原稿読取手段である。このスキャナ２からの信号に基づいて原稿の画像データが生成され、生成された画像データがメモリ６に格納される。プリンタ機構３は、メモリ６に格納された画像データに基づく画像を用紙に印刷する印刷手段である。このプリンタ機構３は、感光体ドラム、帯電器、現像装置、転写装置及び定着装置などからなる周知の印刷手段であるため、ここでは詳細な説明を省略することとする。
【００２０】
通信部４は、ファクシミリ装置などの相手方端末との間で通信を行う通信手段である。このデジタル複合機１がファクシミリ送信を行う場合には、通信部４が相手方のファクシミリ装置との間で接続状態を確立させた後、スキャナ２で読み取った原稿の画像データが送信される。一方、ファクシミリ受信を行う場合には、通信部４を介して相手方のファクシミリ装置から画像データを受信し、その画像データに基づく画像がプリンタ機構３において用紙に印刷される。
【００２１】
操作表示部５には、液晶表示器５１、タッチパネル５２、操作表示基板５３及び圧力検出スイッチ５４が備えられている。液晶表示器５１は、その表示画面に操作キーなどの各種表示を行う表示手段である。タッチパネル５２は、液晶表示器５１の表示画面に対向する操作領域を有する位置情報出力手段であり、操作領域に対するユーザ操作に基づいて、その操作位置の位置情報として座標情報を出力する。圧力検出スイッチ５４は、タッチパネル５２の操作領域に対する押圧力を検出する圧力検出手段である。液晶表示器５１、タッチパネル５２及び圧力検出スイッチ５４は、操作表示基板５３に取り付けられることにより、一体的な操作表示部５として構成されている。
【００２２】
図２は、操作表示部５の構成例を示した分解斜視図である。この操作表示部５では、操作表示基板５３の基板面５３Ａ上に複数の圧力検出スイッチ５４が取り付けられており、これらの圧力検出スイッチ５４に対向するように液晶表示器５１が設けられるとともに、液晶表示器５１に対して操作表示基板５３と反対側に対向するようにタッチパネル５２が設けられている。
【００２３】
液晶表示器５１は、互いに対向する第１面５１Ａ及び第２面５１Ｂを有する薄い板状に形成されており、第１面５１Ａがタッチパネル５２に対向し、第２面５１Ｂが操作表示基板５３の基板面５３Ａに対向するように配置される。液晶表示器５１の第１面５１Ａには、操作キーなどの各種表示を行うための表示画面５１Ｃが形成されている。
【００２４】
タッチパネル５２は、液晶表示器５１の表示画面５１Ｃ全体を覆っており、表示画面５１Ｃに対向する領域が、ユーザ操作に対して位置情報が出力される操作領域５２Ａを形成している。タッチパネル５２は、少なくとも操作領域５２Ａが透明な薄いシート状の部材により構成されており、液晶表示器５１よりも薄く形成されることにより、液晶表示器５１と比べて可撓性が高い部材として構成されている。
【００２５】
このタッチパネル５２は、操作領域５２Ａ内のいずれかの位置に対して所定の第１閾値以上の押圧力で操作が行われているときに、その操作位置の位置情報を出力する感圧式のタッチパネルである。この操作表示部５では、液晶表示器５１の表示画面５１Ｃに表示されている操作キーに対向するタッチパネル５２上の操作領域５２Ａにユーザが指を触れることにより、その操作キーに対応する位置情報がタッチパネル５２から出力され、その出力信号に基づいて当該操作キーが選択されるようになっている。
【００２６】
圧力検出スイッチ５４には、液晶表示器５１の第２面５１Ｂに対向し、タッチパネル５２の操作領域５２Ａに対する押圧力によって変位する変位部５４Ａが備えられている。すなわち、タッチパネル５２の操作領域５２Ａに対する操作によって液晶表示器５１が撓むことにより、液晶表示器５１の第２面が移動し、当該第２面によって変位部５４Ａが押圧されて操作表示基板５３側へ変位するようになっている。
【００２７】
操作表示基板５３の基板面５３Ａには、変位部５４Ａの操作表示基板５３側への変位量が所定値に達したときに、当該変位部５４Ａに形成されている導通部を介して導通する配線が形成されている（図示せず）。これにより、圧力検出スイッチ５４は、タッチパネル５２の操作領域５２Ａが所定の押圧力で押圧され、変位部５４Ａの変位量が上記所定値に達したときに、上記配線が導通したことに基づいて上記所定の押圧力を検出することができるようになっている。上記所定の押圧力は、操作領域５２Ａに対する操作によってタッチパネル５２から位置情報が出力可能となる上記第１閾値よりも大きい第２閾値に設定されている。
【００２８】
この例では、操作表示部５には、液晶表示器５１の第２面５１Ｂの４隅及び中央に対向する５つの圧力検出スイッチ５４が設けられている。ただし、このような構成に限らず、例えば液晶表示器５１の第２面５１Ｂの４隅にのみ圧力検出スイッチ５４が設けられたような構成であってもよいし、液晶表示器５１の第２面５１Ｂの中央に１つだけ圧力検出スイッチ５４が設けられたような構成であってもよい。
【００２９】
図３は、制御部７の構成例を示した機能ブロック図である。制御部７は、タッチパネル５２から出力される位置情報に基づいて、液晶表示器５１の表示画面５１Ｃ上の当該位置情報に対応する操作キーを報知する制御や、その操作キーを選択して、当該操作キーに対応する処理を実行する制御を行う制御手段である。制御部７は、操作キー報知部７１、操作キー選択部７２及び処理実行部７３を備え、これらの各機能ブロックは、制御部７が実行するコンピュータプログラムにより実現される。
【００３０】
メモリ６には、液晶表示器５１の表示画面５１Ｃに表示される各操作キーに対応付けて位置情報が記憶されている。すなわち、タッチパネル５２の操作領域５２Ａにおいて各操作キーに対応する座標範囲が位置情報としてメモリ６に記憶されている。したがって、タッチパネル５２の操作領域５２Ａに対する操作が行われた場合には、メモリ６に記憶されている位置情報に基づいて、その操作位置の座標が上記座標範囲に含まれる操作キーを特定することができる。
【００３１】
操作キー選択部７２は、タッチパネル５２から出力される位置情報に基づいて、液晶表示器５１の表示画面５１Ｃ上における対応する操作キーを特定するとともに、圧力検出スイッチ５４からの検出信号に基づいて、特定した操作キーを選択する操作キー選択手段である。処理実行部７３は、操作キー選択部７２により選択された操作キーに対応する処理を実行する。
【００３２】
操作キー報知部７１は、液晶表示器５１の表示画面５１Ｃ上における操作キーの表示態様を変更することにより、その操作キーをユーザに報知する操作キー報知手段である。操作キー報知部７１は、タッチパネル５２から出力される位置情報に基づいて、液晶表示器５１の表示画面５１Ｃ上における対応する操作キーを特定し、その操作キーの表示画面５１Ｃ上における表示態様を変更することにより、当該操作キーをユーザに報知する。また、操作キー報知部７１は、液晶表示器５１の表示画面５１Ｃ上のいずれかの操作キーが操作キー選択部７２により選択された場合に、その操作キーの表示態様を変更することにより、当該操作キーをユーザに報知する。
【００３３】
図４は、液晶表示器５１の表示画面５１Ｃにおける操作キー５５の報知態様の一例を示した図であり、（ａ）は操作領域５２Ａに対する押圧力が第１閾値以上かつ第２閾値未満の場合、（ｂ）は操作領域５２Ａに対する押圧力が第２閾値以上の場合を示している。
【００３４】
ユーザが、液晶表示器５１の表示画面５１Ｃに表示されている操作キー５５のいずれかに対向するタッチパネル５２の操作領域５２Ａを操作した場合、その押圧力が第１閾値以上かつ第２閾値未満であれば、その位置情報がタッチパネル５２から出力され、当該位置情報に対応する操作キー５５が表示画面５１Ｃ上で報知される。しかし、このとき、圧力検出スイッチ５４からの検出信号は出力されず、上記位置情報に対応する操作キー５５を選択する処理は行われない。
【００３５】
すなわち、タッチパネル５２の操作領域５２Ａに対する第２閾値以上の押圧力が圧力検出スイッチ５４により検出されていない状態で、タッチパネル５２から位置情報が出力されているときには、その位置情報に対応する操作キー５５は選択されず、当該操作キー５５がユーザに報知されるようになっている。この例では、図４（ａ）に示すように、上記位置情報に対応する操作キー５５の一部分のみが反転表示されるという第１の態様により、液晶表示器５１の表示画面５１Ｃにおける当該操作キー５５に対する表示によって報知が行われるようになっている。
【００３６】
この状態からユーザがタッチパネル５２の操作領域５２Ａに対する押圧力を上昇させ、その押圧力が第２閾値以上になった場合には、圧力検出スイッチ５４から検出信号が出力され、その操作位置の位置情報に対応する操作キー５５を選択する処理が行われる。すなわち、タッチパネル５２から位置情報が出力されているときに、タッチパネル５２の操作領域５２Ａに対する第２閾値以上の押圧力が圧力検出スイッチ５４により検出された場合には、その位置情報に対応する操作キー５５が選択されるようになっている。
【００３７】
このとき、液晶表示器５１の表示画面５１Ｃ上において、選択された操作キー５５が上記第１の態様とは異なる態様で報知されるようになっている。この例では、図４（ｂ）に示すように、上記位置情報に対応する操作キー５５の全体が反転表示されるという第２の態様により、液晶表示器５１の表示画面５１Ｃにおける当該操作キー５５に対する表示によって報知が行われるようになっている。
【００３８】
なお、この図４に示したような報知態様は、液晶表示器５１の表示画面５１Ｃに表示されている操作キー５５の面積が、一般的なユーザの指先の面積と比べて十分に大きい場合に有効である。
【００３９】
図５は、液晶表示器５１の表示画面５１Ｃにおける操作キー５５の報知態様の変形例を示した図であり、（ａ）は操作領域５２Ａに対する押圧力が第１閾値以上かつ第２閾値未満の場合、（ｂ）は操作領域５２Ａに対する押圧力が第２閾値以上の場合を示している。
【００４０】
この例では、タッチパネル５２の操作領域５２Ａに対する第２閾値以上の押圧力が圧力検出スイッチ５４により検出されていない状態で、タッチパネル５２から位置情報が出力されているときには、その位置情報に対応する操作キー５５は選択されず、当該操作キー５５が、図５（ａ）に示すような態様でユーザに報知されるようになっている。すなわち、上記位置情報に対応する操作キー５５の全体が反転表示されるという第１の態様により、液晶表示器５１の表示画面５１Ｃにおける当該操作キー５５に対する表示によって報知が行われるようになっている。
【００４１】
一方、タッチパネル５２から位置情報が出力されているときに、タッチパネル５２の操作領域５２Ａに対する第２閾値以上の押圧力が圧力検出スイッチ５４により検出された場合には、その位置情報に対応する操作キー５５が選択され、当該操作キー５５が、図５（ｂ）に示すような態様でユーザに報知されるようになっている。すなわち、上記位置情報に対応する操作キー５５の全体が点滅表示されるという第２の態様により、液晶表示器５１の表示画面５１Ｃにおける当該操作キー５５に対する表示によって報知が行われるようになっている。
【００４２】
なお、この図５に示したような報知態様は、液晶表示器５１の表示画面５１Ｃに表示されている操作キー５５の面積が、一般的なユーザの指先の面積と同程度又はそれよりも小さい場合に有効である。
【００４３】
図６は、タッチパネル５２の操作領域５２Ａに対する操作が行われたときのデジタル複合機１による処理の一例を示したフローチャートである。ユーザがタッチパネル５２の操作領域５２Ａ内のいずれかの位置を押圧することにより操作を行った場合、その押圧力が第１閾値以上であれば（ステップＳ１０１でＹｅｓ）、その位置情報がタッチパネル５２から出力される（ステップＳ１０２）。
【００４４】
このとき、タッチパネル５２の操作領域５２Ａに対する押圧力が第２閾値未満であれば（ステップＳ１０３でＮｏ）、圧力検出スイッチ５４からの検出信号は出力されず、その操作位置の位置情報に対応する操作キー５５が第１の態様で報知される（ステップＳ１０６）。その後、操作領域５２Ａに対する押圧力が第１閾値以上かつ第２閾値未満で維持されている間は（ステップＳ１０７でＹｅｓ、ステップＳ１０３でＮｏ）、液晶表示器５１の表示画面５１Ｃにおける操作キー５５の報知が第１の態様のまま維持される。
【００４５】
この状態から、ユーザがタッチパネル５２に対する操作を中止した場合のように、タッチパネル５２の操作領域５２Ａに対する押圧力が第１閾値未満にまで弱められた場合には（ステップＳ１０７でＮｏ）、液晶表示器５１の表示画面５１Ｃにおける操作キー５５の報知は終了する。
【００４６】
一方、タッチパネル５２の操作領域５２Ａに対する押圧力が第２閾値以上にまで上昇した場合には（ステップＳ１０３でＹｅｓ）、圧力検出スイッチ５４から検出信号が出力され、その操作位置の位置情報に対応する操作キー５５を選択する処理が行われる（ステップＳ１０４）。このとき、その操作位置の位置情報に対応する操作キー５５が上記第１の態様とは異なる第２の態様で報知される（ステップＳ１０５）。
【００４７】
本実施の形態では、圧力検出スイッチ５４により第２閾値以上の押圧力が検出されない状態で、操作領域５２Ａ内のいずれかの位置に対して第１閾値以上の押圧力で操作が行われているときには、その位置情報に対応する操作キー５５は選択されず、当該操作キー５５が報知されるのみであるのに対し、第２閾値以上の押圧力で操作されたときには、その位置情報に対応する操作キー５５が選択される。
【００４８】
したがって、ユーザは、第２閾値以上の押圧力が検出されない状態で操作領域５２Ａ内のいずれかの位置に対する操作を行うことにより、その位置情報に対応する操作キー５５を報知により確認した上で、操作領域５２Ａに対する押圧力を第２閾値以上とすることにより、当該操作キー５５を選択することができる。すなわち、第２閾値以上の押圧力が検出されない状態で操作領域５２Ａを操作したときに報知された操作キー５５が所望の操作キー５５でない場合には、操作領域５２Ａに対する押圧力を第２閾値以上としなければ当該操作キー５５は選択されないので、誤操作を防止できる。
【００４９】
また、本実施の形態では、圧力検出スイッチ５４により第２閾値以上の押圧力が検出されない状態で操作領域５２Ａ内のいずれかの位置に対する操作が行われているときには、その位置情報に対応する操作キー５５を第１の態様で報知し、第２閾値以上の押圧力で操作されたときには、その位置情報に対応する操作キー５５が選択された旨を第１の態様とは異なる第２の態様で分かりやすく報知することができる。これらの報知時には、ユーザが操作している操作領域５２Ａ内の位置に対応する操作キー５５を当該操作キー５５に対する表示によって分かりやすく報知することができるので、誤操作を効果的に防止できる。
【００５０】
さらに、本実施の形態では、液晶表示器５１の第１面５１Ａに形成された表示画面５１Ｃに対向する操作領域５２Ａが操作されたときに、その押圧力によって圧力検出スイッチ５４側へ移動する液晶表示器５１の第２面５１Ｂで変位部５４Ａを変位させることができる。このように、比較的可撓性の低い液晶表示器５１の第２面５１Ｂで変位部５４Ａを変位させて押圧力を検出するような構成とすることにより、操作領域５２Ａ内の各位置の操作に対して液晶表示器５１の第２面５１Ｂにおけるより広い範囲を圧力検出スイッチ５４側へ移動させることができる。これにより、より少ない数の変位部５４Ａで操作領域５２Ａ全体に対する押圧力を検出することができるので、製造コストを低減することができる。
【００５１】
以上の実施の形態では、感圧式のタッチパネル５２を例にとって説明したが、操作領域内での静電容量の変化に基づいて位置情報を出力する静電式のタッチパネルを採用することも可能である。この場合、タッチパネルから位置情報が出力可能となるときの押圧力である上記第１閾値は「０」であってもよい。
【００５２】
また、以上の実施の形態では、圧力検出手段としての圧力検出スイッチ５４が液晶表示器５１に対して操作表示基板５３側に設けられた構成について説明したが、このような構成に限らず、液晶表示器５１に対してタッチパネル５２側に設けられた構成であってもよい。この場合、液晶表示器５１とタッチパネル５２の間に透明な圧力検出手段が設けられたような構成であってもよい。
【００５３】
以上の実施の形態では、液晶表示器５１の表示画面５１Ｃに表示されている操作キー５５の報知が、表示画面５１Ｃにおける当該操作キー５５に対する表示によって行われるような構成について説明したが、このような構成に限らず、表示画面５１Ｃにおける当該操作キー５５とは異なる領域に対する表示によって行われるような構成であってもよい。また、液晶表示器５１の表示画面５１Ｃに対する表示によって操作キー５５の報知が行われるような構成に限らず、音声などの他の態様で報知が行われるような構成であってもよい。
【００５４】
また、以上の実施の形態では、操作入力装置の一例としてデジタル複合機１に本発明を適用した場合について説明したが、本発明は、デジタル複合機に限らず、ユーザが表示画面に対向する操作領域に対して操作を行うことができるような他の操作入力装置にも適用可能である。
【図面の簡単な説明】
【００５５】
【図１】本発明の実施の形態による操作入力装置の構成例を示したブロック図であり、操作入力装置の一例としてデジタル複合機を示している。
【図２】操作表示部の構成例を示した分解斜視図である。
【図３】制御部の構成例を示した機能ブロック図である。
【図４】液晶表示器の表示画面における操作キーの報知態様の一例を示した図であり、（ａ）は操作領域に対する押圧力が第１閾値以上かつ第２閾値未満の場合、（ｂ）は操作領域に対する押圧力が第２閾値以上の場合を示している。
【図５】液晶表示器の表示画面における操作キーの報知態様の変形例を示した図であり、（ａ）は操作領域に対する押圧力が第１閾値以上かつ第２閾値未満の場合、（ｂ）は操作領域に対する押圧力が第２閾値以上の場合を示している。
【図６】タッチパネルの操作領域に対する操作が行われたときのデジタル複合機による処理の一例を示したフローチャートである。
【符号の説明】
【００５６】
１  デジタル複合機
５  操作表示部
６  メモリ
７  制御部
５１  液晶表示器
５１Ａ  第１面
５１Ｂ  第２面
５１Ｃ  表示画面
５２  タッチパネル
５２Ａ  操作領域
５３  操作表示基板
５４  圧力検出スイッチ
５４Ａ  変位部
５５  操作キー
７１  操作キー報知部
７２  操作キー選択部
７３  処理実行部
【図１】
2008276369.tif 000003
【図２】
2008276369.tif 000004
【図３】
2008276369.tif 000005
【図４】
2008276369.tif 000006
【図５】
2008276369.tif 000007
【図６】
2008276369.tif 000008